(57)【要約】【課題】畝立作業時に、左右中央の整形板の上部から耕耘した土が後方へ乗り越えてこぼれないようにすることが可能な畝立器を提供する。【解決手段】耕耘した後を移動する弾性屈曲可能な整形板の下辺および側端辺とで畝間の溝の底面および畝の法面を整形するように構成するとともに、整形板を支持する板状の支持枠を整形板の進行方向下手側に備える畝立器であって、前記整形板は、溝の底面と畝の法面において前記支持枠よりも突出している。前記整形板は、下方ほど狭まる形状である。また、前記支持枠には、移動方向と直交する左右方向の中央平面を設け、前記中央平面は、上下方向で下方ほど幅広の形状であり、さらに前記支持枠の移動方向と直交する中央平面の両外側には、外側になるに従って移動方向下手側に傾斜する両側平面を設けた。【選択図】図６
2020072754.tif 000002
【特許請求の範囲】
【請求項１】
耕耘した後を移動する弾性屈曲可能な整形板の下辺および側端辺とで畝間の溝の底面および畝の法面を整形するように構成するとともに、整形板を支持する板状の支持枠を整形板の進行方向下手側に備える畝立器であって、
前記整形板は、溝の底面と畝の法面において前記支持枠よりも突出している
ことを特徴とする畝立器。
【請求項２】
前記整形板は、下方ほど狭まる形状である
ことを特徴とする請求項１に記載の畝立器。
【請求項３】
前記支持枠には、移動方向と直交する左右方向の中央平面を設け、
前記中央平面は、上下方向で下方ほど幅広の形状であり、
さらに前記支持枠の移動方向と直交する中央平面の両外側には、外側になるに従って移動方向下手側に傾斜する両側平面を設けた
ことを特徴とする請求項１または２に記載の畝立器。
【発明の詳細な説明】
【技術分野】
【０００１】
本発明は、車軸に耕耘爪を配置して、走行と耕耘を同時に行えるようにした歩行型管理機に装着する畝立器において、畝及び畝間の溝をきれいに整形できるようするための技術に関する。
【背景技術】
【０００２】
従来、管理機の機体フレームの後部にヒッチを設け、該ヒッチに支持枠を連結支持し、該支持枠の前面にはゴム板で構成した整形板を取り付け、該整形板の下辺に畝の底面の横端部を押圧整形する舌片を備え、該舌片及び前記整形板の側端辺を、畝整形作用姿勢にて畝の底面及び側面を押圧する反力によって後方に弾性屈曲可能に構成した技術が公知となっている（例えば、特許文献１参照）。
【０００３】
また、尾輪フレームの一端に抵抗棒が形成され、他端に尾輪が支持され、中間部に支持軸（回転軸）が設けられ、該支持軸が、管理機の機体後部の支持部に回転可能に取り付けられ、前記尾輪の前側に畝立器を設けた技術が公知となっている（例えば、特許文献２参照）。
【先行技術文献】
【特許文献】
【０００４】
【特許文献１】特許第５０６９５７７号公報
【特許文献２】特開２０１２−９０５３６号公報
【発明の概要】
【発明が解決しようとする課題】
【０００５】
前記特許文献１における支持枠は、上部に左右方向に長い上部横枠部と、下部に左右方向に短い下部横枠部と、これら左右の中心部をつなぐ縦枠部を備え、該支持枠の前面に整形板が固定され、整形板の横外端及び下端片が支持枠よりもはみ出す構成として、耕起ロータによる耕耘後において、畝の側面と底面を押圧整形する構成としていた。しかし、上部横枠部と下部横枠部の左右両側端の上下は連結されていなかったので、強度が高くなく、整形板が撓んできれいな畝を整形することができないことがあった。また、支持枠は進行方向と直交する平面構成されその平面で押して畝を整形するため、積極的に土を後方左右へ流す構成ではなく、抵抗が大きくなり本機が前に進まなくなり、作業ができない状態となることがあった。
【０００６】
また、前記特許文献２の畝整形板は、後面視でハート型の板状部材で構成され、ゴムカバーの後面が畝整形板の前面に固定され、ゴムカバーの左側、右側、及び上側は、畝整形板の外郭から大きくはみ出す構成となっていたので、畝立作業時には、ゴムカバーが弾性屈曲するのみで、きれいな畝を整形することが難しく、溝底の幅は狭く、溝底を歩くのが難しく、法面も崩れ易くなっていた。
【０００７】
そこで、本発明は、畝立作業時に、左右中央の整形板の上部から耕耘した土が後方へ乗り越えてこぼれないようにすることが可能な畝立器を提供する。
【課題を解決するための手段】
【０００８】
本発明の解決しようとする課題は以上の如くであり、次にこの課題を解決するための手段を説明する。
即ち、請求項１においては、耕耘した後を移動する弾性屈曲可能な整形板の下辺および側端辺とで畝間の溝の底面および畝の法面を整形するように構成するとともに、整形板を支持する板状の支持枠を整形板の進行方向下手側に備える畝立器であって、前記整形板は、溝の底面と畝の法面において前記支持枠よりも突出しているものである。
【０００９】
請求項２においては、前記整形板は、下方ほど狭まる形状である。
請求項３においては、前記支持枠には、移動方向と直交する左右方向の中央平面を設け、前記中央平面は、上下方向で下方ほど幅広の形状であり、さらに前記支持枠の移動方向と直交する中央平面の両外側には、外側になるに従って移動方向下手側に傾斜する両側平面を設けたものである。
【発明の効果】
【００１０】
本発明の効果として、以下に示すような効果を奏する。
本発明によれば、整形板の左右中央の支持枠からの上方へのはみ出し長さが左右両側よりも長くなるので、畝立作業時に、左右中央の整形板の上部から耕耘した土が後方へ乗り越えてこぼれないようにすることができ、溝が浅くならず、仕上がりの外観をよくすることができる。また、支持枠の中央平面の下方ほど幅広の形状でその外側平面が後ろ傾斜しているので、耕耘後の土をスムーズに左右に流し、整形板で左右両側の法面を押さえ付けて、きれいな畝を整形することができる。
【図面の簡単な説明】
【００１１】
【図１】本発明の畝立器を備える管理機の全体側面図。
【図２】本発明の畝立器を備える管理機の全体後面図と整形後の畝断面を示す図。
【図３】畝立器を取り付けたアタッチメントの側面図。
【図４】同じく平面図。
【図５】畝立器の斜視図。
【図６】畝立器の後面図。
【図７】抵抗装置を作用させて作業する状態の管理機の側面図。
【発明を実施するための形態】
【００１２】
次に、本発明の畝立器７０を備える管理機１の実施の形態を説明する。なお、Ｆ方向を前方として説明する。図１、図２において、管理機１は機体フレーム２上にエンジン３を搭載し、該エンジン３の後部で機体フレーム２の左右中央部にミッションケース４が立設され、該ミッションケース４の上部と前記エンジン３の間に伝動ケース５を配設して、動力を伝達可能としている。該ミッションケース４の下部には耕耘軸６が左右水平方向に横架され、つまり、進行方向となるＦ方向に直交して耕耘軸６が設けられ、該耕耘軸６上に耕耘爪７・７・・・が放射状に固定されて、耕耘装置１０を構成している。
【００１３】
機体後部となる前記ミッションケース４の上部に操作ハンドル８の基部が固設され、該操作ハンドル８は斜め後上方に突設されて、該操作ハンドル８の後部にグリップを形成して、オペレータが握れるようにし、該グリップの近傍にクラッチレバー１１やアクセルレバー１２や後進レバー１３等を配設している。前記エンジン３の上部には燃料タンクが配設され、ボンネット９により覆われている。また、前記機体フレーム２の後部には、ヒッチ１５が設けられ、該ヒッチ１５に抵抗棒や畝立器等の作業機を装着可能としている。本実施形態では、抵抗装置４０と畝立器７０と尾輪４３を一体的に構成し、「抵抗棒作用位置」と「畝立・尾輪作用位置」とに切替可能なアタッチメント２０を装着している。
【００１４】
アタッチメント２０は、図１に示すように、取付ブラケット５４を介して前記ヒッチ１５に取り付けられる。取付ブラケット５４は、図３、図４に示すように、ヒッチ１５に取り付ける円柱状の取付基部５４ａと、抵抗装置４０（第１抵抗棒４１と第２抵抗棒４２）と尾輪４３と畝立器７０を支持する回転軸４７を取り付ける支持ボス５４ｂと、取付基部５４ａと支持ボス５４ｂを連結する連結体５４ｃからなる。
【００１５】
取付基部５４ａは、円柱状としてその上部にピン孔５４ｄが開口され、取付基部５４ａをヒッチ１５の後部に形成される円筒部に挿入して、ヒッチ１５に開口された複数のピン孔の一つと前記ピン孔５４ｄを所望の高さで一致させて、固定ピン１６により固定可能としている。つまり、耕耘深さに合わせて抵抗装置４０の高さを調整可能としている。
【００１６】
前記取付基部５４ａの下端から後斜め上方にはプレート状の連結体５４ｃが突設され、該連結体５４ｃの後端に支持ボス５４ｂの前下面が固定される。該支持ボス５４ｂの軸心Ｏ１は前後方向で後下がりの斜め方向となるようにしている。該支持ボス５４ｂの側面には抵抗装置４０と尾輪４３を所定の角度位置で固定するロック手段６０が設けられている。
【００１７】
ロック手段６０は支持体６１とロックピン６２とバネ６３からなり、支持体６１はプレートを「コ」字状に折り曲げて、開放側を支持ボス５４ｂの側面に固設し、閉じた側は側方からロックピン６２を挿入して、支持ボス５４ｂと後述する回転軸４７を貫通して固定できるようにしている。支持体６１内においてロックピン６２にはバネ６３が外嵌されて、ロックピン６２を支持ボス５４ｂ側（ロック側）へ付勢するようにしている。但し、ロック手段６０の構成は限定するものではなく、ボルト等により支持ボス５４ｂと回転軸４７を固定する構成とすることもできる。
【００１８】
前記取付ブラケット５４の支持ボス５４ｂには、回転軸４７が回転自在に挿入され、該回転軸４７は前記ロック手段６０により所定の角度位置で固定される。つまり、前記回転軸４７には直径方向にピン孔が開口され、前記支持ボス５４ｂに回転軸４７を挿入した後に前記ロックピン６２を回転軸４７と支持ボス５４ｂのピン孔に挿入して固定可能としている。
【００１９】
前記回転軸４７の後端には、直交するように抵抗装置４０の第１抵抗棒４１の基部側が固設される。抵抗装置４０は、第１抵抗棒４１と第２抵抗棒４２からなり、該第１抵抗棒４１は棒体で構成されて、図７に示すように、抵抗装置４０を作用させて作業する状態（抵抗棒作用位置）では、前下がりの前傾姿勢となるように配設される。つまり、第１抵抗棒４１は取付ブラケット５４の後部から前下方へ斜めに突出するように取り付けられ、一端（前端）は土中への挿入部とし、ヒッチ１５の取付部よりも前下方に位置し、前進時には土中に突き刺し易い構成としている。
【００２０】
図７において、第１抵抗棒４１の長手方向中途部からは後下方へ第２抵抗棒４２が突出される。該第２抵抗棒４２は棒体を側面視Ｖ字状に折り曲げ形成し、下部は上下方向における下方へ延出している。つまり、第２抵抗棒４２の下先端部は上下方向を向くように構成される。こうして、第１抵抗棒４１と第２抵抗棒４２により側面視略「ｈ」状に構成され、第２抵抗棒４２の先端（下端）が抵抗装置４０の取付基部４１ｃよりも後方に配置され、上下方向で下方に延設される。
【００２１】
前記第１抵抗棒４１の他端（上端）は尾輪フレーム４８とし, 該尾輪フレーム４８の先端に車軸４５が左右方向に横設される。尾輪フレーム４８と第１抵抗棒４１は本実施形態では一つの棒体の延長上に一体的に構成しているが、別の部材で構成することも可能である。車軸４５の両側には尾輪４３・４３が回転自在に支持される。該車軸４５の左右中央には畝立器７０を取り付けるための取付プレート４６が固設されている。なお、尾輪４３は一輪であってもよい。
【００２２】
このような構成において、第１抵抗棒４１と第２抵抗棒４２が下方を向くように回転軸４７を固定した状態では、耕耘作業時に、第１抵抗棒４１と第２抵抗棒４２が土中に差し込まれて抵抗を付与して、耕耘爪７・７・・・の回転により圃場を耕す。そして、第１抵抗棒４１が前下がりの斜め前下方へ突出される構成としているので、硬い圃場に至っても土中に食い込むように前進するためダッシュを防止することができるようになっている。
【００２３】
また、非作業時で移動するときや畝立作業をするときには、ロックピン６２を引き抜いてロックを解除し、回転軸４７を中心にアタッチメント２０を１８０度回転して、図１に示すように、尾輪４３が下方に位置する状態とし、ロックピン６２を差し込んで再度固定する。このようにアタッチメント２０は「抵抗棒作用位置」から「畝立・尾輪作用位置」に切り替えることができる。このとき、回転軸４７が後下がりに突出され回転軸４７の後部に尾輪フレーム４８が取り付けられるので、回転軸４７の前方に畝立器７０を位置させることができるようになり、「抵抗棒作用位置」と「畝立・尾輪作用位置」に切り替えるときには、抵抗装置４０や畝立器７０は取付ブラケット５４の左右外方を回転し、畝立器７０が上方に位置するときには取付ブラケット５４よりも後方に位置し、ヒッチ１５やハンドル基部に当たらずに容易に切り替えることができる。
【００２４】
また、「畝立・尾輪作用位置」において、圃場で耕耘装置１０を作動させて前進することで、畝立作業ができる。この「畝立・尾輪作用位置」では、後述する整形板７４は取付基部５４ａの前方に位置するので、整形板７４の上部は回転軸４７よりも高く構成することができ、従来（特許文献２）よりも上下方向で長く構成することができ、大きな畝を整形することができる。そして、この「畝立・尾輪作用位置」においては、道路や硬い地面等で、操作ハンドル８を下げて耕耘装置１０を地表から浮かせて尾輪４３のみを接地させることで、尾輪４３・４３により管理機１を容易に移動可能としている。
【００２５】
次に、図１から図６より畝立器７０について説明する。なお、アタッチメント２０が図１に示す「畝立・尾輪作用位置」にセットされた状態において、前後左右方向及び上下方向を規定して説明する。畝立器７０は、取付フレーム７１と補強板７２と支持枠７３と整形板７４からなり、尾輪４３の前方であって、耕耘装置１０の後方に配置される。つまり、畝立器７０は耕耘装置１０と尾輪４３の間に配置される。非作業時で水平面に管理機１を静止させた状態では、耕耘爪７と尾輪４３が接地し、畝立器７０の下端は浮いた状態としている。つまり、畝立器７０の対地高さは尾輪４３の下端よりも高くなるように設定され、倉庫等への格納時に、整形板７４の下端が接地して変形することを防止している。
【００２６】
前記取付フレーム７１は、図５に示すように、前後方向に長いプレートの前端を支持枠７３の下部左右中央後面に溶接等により固設し、水平面のプレートの後端の左右に固定孔７１ａ・７１ａを開口し、前記車軸４５に固設した取付プレート４６にボルト等により着脱可能に固設している。
【００２７】
前記補強板７２は、プレートを側面視台形状に形成して、取付フレーム７１と支持枠７３の間に固設している。つまり、板面が左右方向を向くようにして補強板７２の後下辺を取付フレーム７１の後上面に固設し、補強板７２の前辺を支持枠７３の上下中途部の左右中央後面に固設している。
【００２８】
前記支持枠７３は、鋼板で構成されて、図６に示すように、後面視において、上辺（上底）が下辺（下底）より長い等脚台形状に形成され、支持枠７３の左右中央に下辺（下底）７３ａＢが上辺（上底）７３ａＵより長い等脚台形の中央平面７３ａが形成される。該中央平面７３ａは進行方向と直交する左右方向の平面とし、該中央平面７３ａの左右両側辺に横平面７３ｂ・７３ｂが連続して形成される。該支持枠７３の前面に一回り大きい整形板７４が固定される。
【００２９】
前記中央平面７３ａは、支持枠７３の左右中央に位置し、中央平面７３ａの上辺７３ａＵが幅狭で、下辺７３ａＢが幅広の台形、または、二等辺三角形としている。中央平面７３ａの下部後面に取付フレーム７１の前端が固定され、中央平面７３ａの上下中途部の左右中央後面に補強板７２の前上端が固定される。こうして、支持枠７３が取付プレート４６に取り付けられた状態では、図３に示すように、中央平面７３ａは進行方向に対して前傾した状態となって、畝立作業時に、矢印のように、土を下方へ流すようにしている。
【００３０】
前記両側平面７３ｂ・７３ｂは、中央平面７３ａの左右辺（台形の左右脚）を折目として、図４に示すように、平面視で外側になるに従って移動方向下手側に傾斜するように形成される。つまり、両側平面７３ｂ・７３ｂは中央平面７３ａの左右両側から斜め後方へ折り曲げられる。こうして、支持枠７３の前面に固定される整形板７４は鈍角で後方に折り曲げられて、平面視でＶ字状となり、前進畝立作業時に、矢印のように土が左右へ流されるようになる。
【００３１】
前記整形板７４は、ゴムまたは合成樹脂等の弾性屈曲可能な弾性体で構成され、本実施形態では、ＥＶＡ樹脂で構成している。整形板７４は支持枠７３を一回り大きくした台形状に構成される。つまり、整形板７４は支持枠７３よりも上下左右方向に所定長さ長く構成される。整形板７４の上辺は左右中央が高い山形に形成され、つまり、整形板７４の左右中央の支持枠７３からの上方へのはみ出し長さを左右両側よりも長くして、畝立器７０を前傾姿勢で尾輪フレーム４８に取り付けたときに、左右中央が低くならないようにして、畝立作業時に、左右中央の整形板７４の上部から耕耘した土が後方へ乗り越えてこぼれないようにしている。つまり、土が溝底にこぼれると、仕上がりの外観が悪く、溝が浅くなり、溝さらい作業が必要となるので、できるだけ整形板７４の上部から乗り越えないようにしている。
【００３２】
支持枠７３の中央平面７３ａの下辺７３ａＢの両端後方には尾輪４３・４３が配置されており、前記整形板７４の支持枠７３の下端から下方へのはみ出し長さは、後方へ変形しても十分溝底を押さえる長さであり、折れ曲がり変形したときに尾輪４３が踏みつけられない長さとしている。言い換えれば、尾輪４３は整形板７４の下部を踏みつけない程度に畝立器７０に近づけて配置され、尾輪４３をできるだけ前方に配置して、作業者の足が作業時に当たらないようにしている。
【００３３】
そして、前記整形板７４は支持枠７３の前面に複数のボルト・ナット７５・７５・・・により固定される。本実施形態では、支持枠７３の台形の頂部近傍の四隅の４箇所をボルト・ナット７５・７５・７５・７５により固定している。こうして、密着して固定して、管理機１を後進させても整形板７４がめくれて剥がれないようにするとともに、交換やメンテナンスが容易にできるようにしている。
【００３４】
このように構成した管理機１により畝立作業を行う場合、先ず、アタッチメント２０を抵抗装置４０を下方に位置させてロック手段６０で固定して「抵抗棒作用位置」とし、耕耘装置１０を作動させて耕耘を行い圃場の土を柔らかくしておく。次に、ロック手段６０を解除してアタッチメント２０を畝立器７０が下方となるように回動して、「畝立・尾輪作用位置」としてロック手段６０で固定する。この状態で管理機１を耕耘しながら前進させると、畝立器７０により畝３０（図２）が整形される。このとき、畝立器７０の中央平面７３ａで耕耘された土を下方へ流して、中央平面７３ａの下辺７３ａＢで整形板７４を押さえて、整形板７４の弾性により畝３０・３０間の溝底面３１を押さえつけて、土を締め固めて整形する。
【００３５】
そして、畝立器７０の上部は平面視舳先状となっているために、前進とともに土は左右に流され、両側平面７３ｂ・７３ｂの左右後部で整形板７４の弾性により左右の畝３０の法面３２・３２が押さえ付けられて締め固められ、法面３２・３２が崩れ落ちることを防止し、きれいな畝３０に仕上げることができるようになる。また、法面３２・３２下部と溝底面３１両側の境界部分は、整形板７４がきれいに折れ曲がることができないが、この部分は尾輪４３・４３が通過するため、尾輪４３・４３により踏み固められ、溝底面３１をきれいに仕上げることができる。
【００３６】
以上のように、耕耘装置１０で耕耘した後を移動する弾性屈曲可能な整形板７４の下辺および側端辺とで畝３０・３０間の溝の底面３１および畝３０の法面３２を整形するように構成するとともに、整形板７４を支持する板状の支持枠７３を整形板７４の進行方向下手側に備える畝立器７０であって、前記支持枠７３には移動方向と直交する左右方向の中央平面７３ａを設け、該中央平面７３ａは、下辺７３ａＢ側が幅広で、上辺７３ａＵ側が幅狭とし、整形板７４の下辺が溝の底面３１を整形するので、溝底面３１が幅広な平面に形成でき、溝底面３１の歩行や溝底面３１に位置して畝３０上における播種や植付等の作業が容易にできるようになる。
【００３７】
さらに、支持枠７３の移動方向と直交する中央平面７３ａの両外側には、外側になるに従って移動方向下手側に傾斜する両側平面７３ｂ・７３ｂを設け、該両側平面７３ｂの側端辺（外側辺）が位置する整形板７４は、溝両側の法面３２を整形するので、進行に従って土が左右に流されて、両側平面７３ｂの側端辺で土を締め固める。このとき、従来支持枠は進行方向に対して直交していたために抵抗が大きかったが、本発明では両側平面７３ｂ・７３ｂは斜めに配置されているために、抵抗が減少されて負荷が軽減され、土が正面に停滞せず、整形板７４の左右両側へ流れて法面３２・３２を整形することができる。
【００３８】
また、前記畝立器７０を構成する支持枠７３は、歩行型管理機１の機体後部に尾輪４３を配置するための尾輪フレーム４８に取り付けられ、少なくとも一つの尾輪４３、本実施形態では左右二つの尾輪４３・４３が支持枠７３の中央平面７３ａの下辺７３ａＢ両側の移動方向後方に設けられるので、尾輪４３は畝３０・３０間の溝底面３１上を転動することとなり、溝深さを安定させることができる。また、左右の尾輪４３・４３が整形した溝底面３１両側を押えつけることができ、きれいな溝を整形できる。
【００３９】
また、前記畝立器７０の支持枠７３が取り付けられる尾輪フレーム４８は、一端に抵抗装置４０が形成され、他端に尾輪４３が取り付けられ、中間部から回転軸４７が突出され、該回転軸４７は歩行型管理機１の機体後部に上下調節可能に取り付けられる支持部となる取付ブラケット５４に、「抵抗棒作用位置」と「畝立・尾輪作用位置」に回転可能に取り付けられ、回転軸４７が後下がりに突出されるので、取付基部５４ａの前方に畝立器７０を位置させることができるようになり、「抵抗棒作用位置」と「畝立・尾輪作用位置」に切り替えるときに支持枠７３がヒッチ１５やハンドル基部に当たらずに容易に切り替えることができる。また、整形板７４を従来よりも上下方向で長く構成することができ、大きな畝を整形することができる。
【００４０】
また、「畝立・尾輪作用位置」において、機体後部のヒッチ１５に装着する取付基部５４ａの前側に支持枠７３が配置され、後側に尾輪４３が配置されるので、畝立器７０を耕耘装置１０に近づけて配置することができ、耕耘土の持ち回りが増加し、砕土性が向上し、整形板７４から左右方向への土の流れも向上し、畝立が容易にできるようになり、尾輪４３が支持枠７３の後部に位置して管理機１を安定して自立させることができる。
【符号の説明】
【００４１】
１    管理機
１０  耕耘装置
３０  畝
３１  溝底面
３２  法面
４０  抵抗装置
４３  尾輪
４８  尾輪フレーム
７０  畝立器
７３  支持枠
７３ａ  中央平面
７３ａＢ  下辺
７３ａＵ  上辺
７３ｂ  両側平面
７４  整形板
【図１】
2020072754.tif 000003
【図２】
2020072754.tif 000004
【図３】
2020072754.tif 000005
【図４】
2020072754.tif 000006
【図５】
2020072754.tif 000007
【図６】
2020072754.tif 000008
【図７】
2020072754.tif 000009